(57)【要約】  【課題】  対物レンズ５にガラス製の第１レンズ１１と樹脂製の第２レンズ１２とを用いた場合でも、第１レンズ１１および第２レンズ１２に働く接着剤の鏡筒１３側への引張応力に起因して収差が発生するのを抑え、対物レンズ５の性能低下を回避する。  【解決手段】  第１レンズ１１および第２レンズ１２を保持する鏡筒１３に、連通部２１を設ける。連通部２１は、第１レンズ１１と第２レンズ１２との間の空隙部１４を外部と連通させるものであり、空隙部１４が第１レンズ１１の外周面の一部を介して外部と連通するように、鏡筒１３に設けられる。これにより、第１レンズ１１を接着剤で鏡筒１３に接着、固定したときに、第１レンズ１１に対して接着剤による鏡筒１３側への引張応力が第１レンズ１１の周方向（光軸周りの方向）に不均等に働いても、ガラスからなる第１レンズ１１は硬く、変形しにくいので、収差の発生を抑えることができる。【選択図】      図１
2006126284.tif 000002
【特許請求の範囲】
【請求項１】
ガラスからなる第１レンズと、樹脂からなる第２レンズと、上記第１レンズおよび上記第２レンズを保持する保持体とを有する対物レンズであって、
上記保持体には、上記第１レンズと上記第２レンズとの間の空隙部を外部と連通させる連通部が設けられており、
上記連通部は、上記空隙部が上記第１レンズの外周面の一部を介して外部と連通するように設けられていることを特徴とする対物レンズ。
【請求項２】
上記連通部は、上記空隙部が、当該対物レンズによって光ビームが集光される光ディスク側で外部と連通するように設けられていることを特徴とする請求項１に記載の対物レンズ。
【請求項３】
上記第１レンズは、上記第２レンズよりも当該対物レンズによって光ビームが集光される光ディスク側に位置するように、上記保持体にて保持されていることを特徴とする請求項１に記載の対物レンズ。
【請求項４】
上記連通部は、上記保持体において上記第１レンズの光軸周り３箇所に設けられていることを特徴とする請求項１から３のいずれかに記載の対物レンズ。
【請求項５】
上記連通部は、上記第１レンズの表面と空隙を介して対向する壁面を有しており、
上記壁面と上記第１レンズの表面との距離は、０．０５ｍｍ以上に設定されていることを特徴とする請求項１から４のいずれかに記載の対物レンズ。
【請求項６】
請求項１から５のいずれかに記載の対物レンズと、
上記対物レンズによって光ディスクに集光される光ビームを出射する光源とを備えていることを特徴とする光ピックアップ。
【発明の詳細な説明】
【技術分野】
【０００１】
本発明は、複数のレンズを有する対物レンズと、その対物レンズを備えた光ピックアップとに関するものである。
【背景技術】
【０００２】
従来から、青色レーザ光の照射により情報の記録再生を行う、大容量の次世代光ディスク（以下、ＢＤと記載する）に対応した光ピックアップが種々提案されている（例えば特許文献１参照）。この種の光ピックアップでは、ＢＤに照射される青色レーザ光のスポット径を小さくするために、対物レンズでの屈折パワーを強くする必要がある。そこで、特許文献１の光ピックアップでは、対物レンズを複数枚のレンズで構成することで、屈折パワーの強い対物レンズを得るようにしている。
【０００３】
ここで、上記対物レンズを構成する各レンズは鏡筒で保持されるが、この鏡筒内の各レンズ間に形成される空隙部が密閉されていると、環境温度の変化に伴う空隙部内の空気の膨張または圧縮により、各レンズが光軸方向に応力を受けて、その固定位置精度が悪くなる。その結果、収差が発生しやすくなるなど、対物レンズの性能が劣化する。
【０００４】
そこで、特許文献１の光ピックアップでは、鏡筒内の各レンズ間の空隙部を、エア抜き部を介して外部と連通させている。この構成では、環境温度が変化しても、空隙部内の空気はエア抜き部を介して外部との間で移動するため、鏡筒内の各レンズには空隙部内の空気による応力が発生しない。この結果、各レンズの固定位置精度が良好に保たれ、レンズ性能の劣化が回避される。
【０００５】
また、空隙部が密閉されていると、使用環境が例えば高温高湿から急に低温に変化したときには、空隙部内の空気に含まれる水蒸気が結露しやすい。しかし、鏡筒にエア抜き部が設けられていることにより、空隙部内の空気（水蒸気）をエア抜き部を介して外部に逃がすことが可能となるため、使用環境の急激な変化があっても空隙部内での結露を防止することができると考えられる。
【特許文献１】特開２００３−２１７７３号公報
【発明の開示】
【発明が解決しようとする課題】
【０００６】
ところで、近年では、上記したＢＤと、従来から存在するＤＶＤに対する情報の記録再生を、光学系の一部を共用して行う光ピックアップの開発が盛んに行われている。このようにＢＤとＤＶＤとで互換性のある光ピックアップでは、ＤＶＤ用の光ビームの収差を適切に補正するために、例えば対物レンズを構成する２枚のレンズのうちの一方に回折面を設ける必要がある。このような回折面を有するレンズは、ガラスで作ることが技術的に困難であることから、プラスチックで構成するのが一般的である。
【０００７】
一方、ＢＤに対して情報の記録再生を行う際には、上述したようにＢＤ上に照射される青色レーザ光のスポットを絞るべく、対物レンズのパワーを強くする必要があるが、パワーの強いレンズは、ガラス以外で作ることは困難である。
【０００８】
したがって、以上のことから、ＢＤ／ＤＶＤ互換用の対物レンズを構成する２枚のレンズは、プラスチックレンズとガラスレンズとでそれぞれ構成される。プラスチックレンズおよびガラスレンズは、これらを保持する鏡筒に例えばその外周面を接着剤で接着されて固定される。
【０００９】
ところが、ＢＤ／ＤＶＤ互換用の対物レンズに特許文献１の構成を適用する際に（上記対物レンズの鏡筒にエア抜き部を設ける際に）、プラスチックレンズ側にエア抜き部を設けると、プラスチックレンズには、上記接着剤による鏡筒側への引張応力が不均等に働く。つまり、プラスチックレンズは、エア抜き部以外の部分で鏡筒と接着剤で接着されるため、プラスチックレンズの周方向（光軸周りの方向）においては、プラスチックレンズの接着箇所と非接着箇所とが存在する。その結果、プラスチックレンズには、接着剤による鏡筒側への引張応力がプラスチックレンズの周方向において不均等に働く。
【００１０】
プラスチックレンズは軟らかいので、上記のようにプラスチックレンズに接着剤による不均等な引張応力が働くと、プラスチックレンズは容易に変形しやすくなる。その結果、収差が発生しやすくなり、対物レンズの性能が低下する。
【００１１】
本発明は、上記の問題点を解決するためになされたものであり、その目的は、対物レンズにプラスチックレンズとガラスレンズとを用いた場合でも、エア抜き部を鏡筒において適切な位置に形成することにより、収差の発生を抑えて性能低下を回避できる対物レンズと、その対物レンズを備えた光ピックアップとを提供することにある。
【課題を解決するための手段】
【００１２】
本発明の対物レンズは、ガラスからなる第１レンズと、樹脂（例えばプラスチック）からなる第２レンズと、上記第１レンズおよび上記第２レンズを保持する保持体とを有する対物レンズであって、上記保持体には、上記第１レンズと上記第２レンズとの間の空隙部を外部と連通させる連通部が設けられており、上記連通部は、上記空隙部が上記第１レンズの外周面の一部を介して外部と連通するように設けられていることを特徴としている。
【００１３】
上記の構成によれば、ガラス製の第１レンズと樹脂製の第２レンズとが保持体（例えば鏡筒）に保持されて対物レンズが構成されている。この保持体には、連通部が設けられており、第１レンズと第２レンズとの間に形成される空隙部が連通部を介して外部と連通している。これにより、使用環境が変化しても（例えば高温から低温に変化しても）、空隙部内の空気は外部との間で移動可能となるため、上記空気によって第１レンズおよび第２レンズが応力を受けることはなく、各レンズの固定位置精度を良好に保つことができるとともに、空隙部内での結露を防止することができる。
【００１４】
また、上記の連通部は、空隙部が第１レンズの外周面の一部を介して外部と連通するように、保持体に設けられている。つまり、連通部は、保持体において、樹脂製の第２レンズ側ではなく、ガラス製の第１レンズ側に設けられている。これにより、例えば、第１レンズの外周面を接着剤で保持体に接着固定したときに、第１レンズに対して上記接着剤による保持体側への引張応力が第１レンズの周方向（光軸周りの方向）にたとえ不均等に働いても、ガラスからなる第１レンズは硬いので変形しにくい。その結果、保持体に連通部を設ける構成であっても、対物レンズでの収差の発生を抑えて、対物レンズの性能が低下するのを回避することができる。
【００１５】
ところで、上記した連通部は、保持体における光ディスク側に設けられる構成が望ましい。つまり、連通部は、空隙部が当該対物レンズによって光ビームが集光される光ディスク側で外部と連通するように設けられている構成が望ましい。
【００１６】
連通部が保持体における光ディスクとは反対側に設けられる構成の場合、対物レンズにおける光ディスクとは反対側の面を受ける構成のボビンによって対物レンズが支持されると、上記連通部がボビンによって塞がれる場合がある。しかし、連通部が光ディスク側に設けられていれば、上記構成のボビンで対物レンズが支持される場合でも、連通部がボビンによって塞がれることがない。その結果、連通部を介して空隙部を外部と確実に連通させることができる。
【００１７】
また、第１レンズは、第２レンズよりも当該対物レンズによって光ビームが集光される光ディスク側に位置するように、上記保持体にて保持されている構成であってもよい。このように第１レンズが保持体に保持されていれば、空隙部が第１レンズの外周面の一部を介して外部と連通するように、連通部が保持体に設けられていることから、結局、連通部は光ディスク側に設けられることになる。その結果、上記と同様に、連通部が上記構成のボビンによって塞がれることがなく、連通部を介して空隙部を外部と確実に連通させることができる。
【００１８】
また、上記した連通部は、上記保持体において第１レンズの光軸周り３箇所に設けられている構成が望ましい。この構成の場合、例えば第１レンズの外周面を接着剤で保持体に接着したときに、第１レンズは３点接着に近い形で接着されるので、安定して第１レンズを保持体に接着することができる。
【００１９】
このとき、第１レンズの光軸周りにおいて、３個の連通部が等間隔に保持体に設けられれば、バランスよく第１レンズを保持体に接着できるので、第１レンズの接着状態をより安定させることができる。
【００２０】
また、上記した連通部は、第１レンズの表面と空隙を介して対向する壁面を有しており、上記壁面と上記第１レンズの表面との距離は、０．０５ｍｍ以上に設定されている構成が望ましい。
【００２１】
上記距離が０．０５ｍｍ未満であると、第１レンズの外周面を保持体に接着させるための接着剤が連通部に流入したときに、連通部が接着剤で埋まる場合が考えられ、連通部がその機能を果たさなくなるおそれがある。しかし、上記距離が０．０５ｍｍ以上であれば、連通部に接着剤が流入したときに連通部が接着剤で完全に埋まる危険性をある程度低減することができる。
【００２２】
本発明の光ピックアップは、上述した本発明の対物レンズと、上記対物レンズによって光ディスクに集光される光ビームを出射する光源とを備えていることを特徴としている。このとき、上記光源は、異なる波長の光ビームに対応して複数設けられていてもよく、さらには青色レーザ光を出射する青色用光源を含んでいてもよい。
【００２３】
このような構成により、光ピックアップの光源として、次世代光ディスクに対応した青色レーザ光を出射する光源を用いても、対物レンズ性能の優れた光ピックアップを容易に実現することができる。また、青色用光源にさらにＤＶＤやＣＤに対応した光源を付加して、ＢＤ／ＤＶＤ／ＣＤで互換性のある（光学系の一部を共用した）光ピックアップも容易に実現することができる。
【発明の効果】
【００２４】
本発明によれば、連通部は、空隙部が第１レンズの外周面の一部を介して外部と連通するように、保持体に設けられている。これにより、例えば、第１レンズを接着剤を介して保持体に接着固定したときに、第１レンズに対して上記接着剤による保持体側への引張応力が不均等に働いても、ガラスからなる第１レンズは硬いので変形しにくい。その結果、保持体に連通部を設ける構成であっても、対物レンズでの収差の発生を抑えて、対物レンズの性能が低下するのを回避することができる。
【発明を実施するための最良の形態】
【００２５】
本発明の実施の一形態について、図面に基づいて説明すれば、以下の通りである。
図２は、本実施形態に係る光ピックアップの概略の構成を示す説明図である。この光ピックアップは、第１の光源１と、第２の光源２と、ビームスプリッタ３と、コリメータレンズ４と、対物レンズ５とを有して構成されており、光ディスクであるＢＤ６とＤＶＤ７で互換性を有する構成、すなわち、光学系の一部を共用した構成となっている。なお、ＢＤとは、青色レーザ光に対応した大容量の次世代光ディスクを指すものとする。
【００２６】
第１の光源１は、ＢＤ６用の光ビーム（青色レーザ光）を出射する半導体レーザモジュールである。第１の光源１において、有底箱状の筐体１ｄの底部中央には、第１の半導体レーザ１ａが配設されている。この第１の半導体レーザ１ａは、波長４０５ｎｍの光ビーム（実線Ｘで示す）を出射する。筐体１ｄの底部において、第１の半導体レーザ１ａの両側には、第１の光検出器１ｂが配設されている。また、モジュールの表面には、第１のホログラム１ｃが筐体１ｄに対して蓋状に配置されている。
【００２７】
第２の光源２は、ＤＶＤ７用の光ビームを出射する半導体レーザモジュールである。第２の光源２において、有底箱状の筐体２ｄの底部中央には、第２の半導体レーザ２ａが配設されている。この第２の半導体レーザ２ａは、波長６５０ｎｍの光ビーム（破線Ｙで示す）を出射する。筐体２ｄの底部において、第２の半導体レーザ２ａの両側には、第２の光検出器２ｂが配設されている。また、モジュールの表面には、第２のホログラム２ｃが筐体２ｄに対して蓋状に配置されている。
【００２８】
なお、本実施形態では、それぞれの光源を構成する半導体レーザ、光検出器およびホログラムは、モジュール化されているが、これらは別体で設けられる構成であってもよい。
【００２９】
ビームスプリッタ３は、波長選択性の干渉膜により光ビームを選択的に透過または反射させる光学素子であり、第１の光源１および第２の光源２から出射される光ビームの光路が交わる位置に配置されている。コリメータレンズ４は、ビームスプリッタ３を介して入射するレーザ光を平行光にする。対物レンズ５は、第１の光源１および第２の光源２から出射された光ビームをＢＤ６またはＤＶＤ７上に集光させる。なお、対物レンズ５の詳細な構成については後述する。
【００３０】
上記の構成において、第１の光源１の第１の半導体レーザ１ａから出射された光ビームは、ビームスプリッタ３を透過し、コリメータレンズ４で平行光に変換され、対物レンズ５によってＢＤ６上に集光される。そして、ＢＤ６からの戻り光（反射光）は、上記とは光路を逆にたどって、すなわち、対物レンズ５、コリメータレンズ４およびビームスプリッタ３を介して、第１の光源１に入射する。第１の光源１では、上記戻り光は、第１のホログラム１ｃで光路を曲げられて第１の光検出器１ｂに入射し、ここで光信号（例えばサーボ信号（フォーカスエラー信号、トラッキングエラー信号）、情報信号、収差信号）が検出される。
【００３１】
一方、第２の光源２の第２の半導体レーザ２ａから出射された光ビームは、ビームスプリッタ３にて反射され、コリメータレンズ４で平行光に変換され、対物レンズ５によってＤＶＤ７上に集光される。そして、ＤＶＤ７からの戻り光（反射光）は、上記とは光路を逆にたどって、すなわち、対物レンズ５、コリメータレンズ４およびビームスプリッタ３を介して、第２の光源２に入射する。第２の光源２では、上記戻り光は、第２のホログラム２ｃで光路を曲げられて第２の光検出器２ｂに入射し、ここで上記と同様の光信号が検出される。
【００３２】
次に、対物レンズ５の詳細について説明する。
図３は、光ディスク（ＢＤ６またはＤＶＤ７）側から見たときの対物レンズ５の平面図であり、図１は、対物レンズ５の詳細な構成を示すものであって、図３のＡ−Ａ’線矢視断面図である。なお、図１では、対物レンズ５を保持するボビン１５を付随的に図示している。本実施形態の対物レンズ５は、第１レンズ１１と、第２レンズ１２と、鏡筒１３とを有して構成されている。
【００３３】
第１レンズ１１は、ガラスで構成されており、主として光ディスクとは反対側に凸の形状をしている。第２レンズ１２は、樹脂（例えばプラスチック）で構成されており、光ディスクに向かう光の入射側の面は、第２の光源２から出射される光ビームを回折させて収差補正するための回折面１２ａとなっている。なお、第２レンズ１２において、回折面１２ａとは反対側の面（光ディスク側の面）に回折面を設けるようにしてもよい。
【００３４】
鏡筒１３は、第１レンズ１１および第２レンズ１２を光軸方向に所定間隔おいて保持する保持体であり、略円筒状に形成されている。より詳しくは、鏡筒１３は、第１レンズ１１が第２レンズ１２よりも光ディスク側（上方）に位置するように、第１レンズ１１および第２レンズ１２を保持している。第１レンズ１１および第２レンズ１２の少なくとも外周面と鏡筒１３の内壁面との間には接着剤が塗布され、この接着剤によって第１レンズ１１および第２レンズ１２が鏡筒１３に接着、固定される。
【００３５】
なお、本実施形態では、後述する連通部２１が鏡筒１３において第１レンズ１１側に設けられるため、第１レンズ１１の外周面の全てが接着剤によって鏡筒１３に接着、固定されるのではなく、第１レンズ１１の外周面のうち、連通部２１以外で鏡筒１３の内壁面と対向する部位が接着剤によって鏡筒１３に接着、固定される。
【００３６】
第１レンズ１１および第２レンズ１２が鏡筒１３で保持されることにより、鏡筒１３内において第１レンズ１１と第２レンズ１２との間には、空隙部１４が形成される。この空隙部１４は、後述する連通部２１を介して外部と連通している。
【００３７】
また、鏡筒１３には、第２レンズ１２を介して光ディスク方向に進行する光ビームの光束径を規制するための絞り１３ａが、第２レンズ１２よりも第１レンズ１１側に設けられている。
【００３８】
上記構成の対物レンズ５は、ボビン１５によって保持されている。ボビン１５には、図示しないフォーカスコイルおよびトラッキングコイルが巻かれており、これらに流す駆動電流と外部磁界との相互作用で、対物レンズ５がフォーカス方向（光軸方向）およびトラッキング方向（光軸に垂直な方向）に移動操作される。
【００３９】
ここで、本実施形態のボビン１５は、対物レンズ５の光ディスク側、すなわち、第１レンズ１１側が上方となるように、対物レンズ５を保持している。したがって、ボビン１５は、鏡筒１３の外周面を保持するとともに、第２レンズ１２の外周部（鍔部）および鏡筒１３をその下方（光ディスクとは反対側）から支持している。
【００４０】
次に、連通部２１について説明する。
連通部２１は、第１レンズ１１と第２レンズ１２との間の空隙部１４を外部と連通させるものであり、連通のための穴およびその穴を形成する鏡筒１３の壁面を含む概念である。この連通部２１は、本実施形態では、空隙部１４が第１レンズ１１の外周面の一部を介して外部と連通するように鏡筒１３に設けられている。つまり、連通部２１は、鏡筒１３において、樹脂製の第２レンズ１２側ではなく、ガラス製の第１レンズ１１側に設けられている。このように連通部２１を設けた点に本発明の最も大きな特徴がある。なお、上記した第１レンズ１１の外周面の一部とは、第１レンズ１１の外周面を接着剤で鏡筒１３に接着、固定する際に、接着剤が塗布されない部分を指す。
【００４１】
また、図３に示すように、連通部２１は、鏡筒１３において第１レンズ１１の光軸周り３箇所に等間隔で設けられている。そして、連通部２１を構成する鏡筒１３の壁面は、第１レンズ１１の表面にほぼ沿って屈曲する半円筒状の壁面となっている。このとき、連通部２１を構成する鏡筒１３の壁面は、第１レンズ１１の表面と例えば光軸方向および光軸に垂直な方向において０．０５ｍｍ以上の間隔を介して形成されている。
【００４２】
なお、連通部２１の上記壁面の形状は、これに限定されるわけではない。つまり、連通部２１の上記壁面は、溝となる形状であればよく、断面Ｖ字形やその他の断面形状であってもよい。
【００４３】
このように、連通部２１が鏡筒１３に設けられていることにより、対物レンズ５（または光ピックアップ）の使用環境温度が変化したときには、空隙部１４内の空気は連通部２１を介して外部との間で移動する。すなわち、環境温度が低温から高温に変化したときは、空隙部１４内の空気は膨張するが、その一部は連通部２１を介して外部に逃げる。一方、環境温度が高温から低温に変化したときは、空隙部１４内の空気は圧縮されるが、これに伴って、外部の空気が連通部２１を介して空隙部１４内に進入する。このため、環境温度が変化しても、空隙部１４内の空気によって第１レンズ１１および第２レンズ１２が光軸方向に応力を受けることはない。その結果、環境温度変化に起因して第１レンズ１１および第２レンズ１２の位置精度が低下するのを回避できる。また、特に、高温から低温への変化時に空隙部１４内で結露が発生するのを防止することもできる。
【００４４】
また、連通部２１は、空隙部１４が第１レンズ１１の外周面の一部を介して外部と連通するように鏡筒１３に設けられており、第２レンズ１２側には設けられていないので、接着剤の引張応力による第１レンズ１１および第２レンズ１２の不均等な変形は生じない。
【００４５】
より詳細には、第２レンズ１２は、少なくともその外周面全体にわたって接着剤によって鏡筒１３に接着されるので、第２レンズ１２の光軸周りの方向においては、第２レンズ１２には接着剤による鏡筒１３側への引張応力が均等に働く。このため、樹脂製の第２レンズ１２が不均等に変形することはない。
【００４６】
一方、連通部２１は第１レンズ１１側に設けられているので、第１レンズ１１は、連通部２１との対向部以外の外周面において接着剤によって鏡筒１３に接着される。このため、第１レンズ１１の光軸周りの方向においては、第１レンズ１１には接着剤による鏡筒１３側への引張応力が不均等に働く。しかし、第１レンズ１１はガラスからなり、硬いため、接着剤の引張応力が第１レンズ１１に不均等に働いても、第１レンズ１１が変形することはない。
【００４７】
したがって、本実施形態の上記構成によれば、接着剤の引張応力による第１レンズ１１および第２レンズ１２の変形に起因して収差が発生するのを回避することができ、対物レンズ５の性能低下を回避することができる。
【００４８】
また、第１レンズ１１は、第２レンズ１２よりも光ディスク側に位置するように鏡筒１３にて保持されていることから、空隙部１４内の空気は、第１レンズ１１の外周面の一部を介して光ディスク側に進行する。このことから、連通部２１は、空隙部１４が光ディスク側で外部と連通するように鏡筒１３に設けられているとも言うことができる。
【００４９】
例えば、連通部２１が鏡筒１３における光ディスクとは反対側に設けられる構成の場合、本実施形態のように対物レンズ５における光ディスクとは反対側の面を受ける構成のボビン１５によって対物レンズ５が支持されると、連通部２１がボビン１５によって塞がれる場合がある。この場合、連通部２１を設ける構成が意味をなさなくなり、連通部２１を塞がないようにボビン１５の形状を変更する必要が生じる。
【００５０】
しかし、本実施形態のように、連通部２１が鏡筒１３における光ディスク側に設けられていれば、上記構成のボビン１５で対物レンズ５が支持されるときでも、連通部２１がボビン１５によって塞がれることは全くない。その結果、連通部２１を介して空隙部１４を外部と確実に連通させることができる。また、連通部２１がボビン１５によって塞がれることがないので、ボビン１５の形状を設計変更する必要もない。
【００５１】
また、連通部２１が、例えば第１レンズ１１と第２レンズ１２との間の鏡筒１３の側壁を光軸とは垂直方向に貫通するように設けられると、鏡筒１３の外周面はボビン１５の内周面と密着するために、連通部２１がボビン１５で塞がれる状態となり、やはり連通部２１を設ける意味がなくなる。しかし、本実施形態では、空隙部１４内の空気が光ディスク側に抜けるように連通部２１を設けているので、連通部２１がボビン１５の内周面で塞がれるようなことはない。
【００５２】
また、連通部２１は、鏡筒１３において第１レンズ１１の光軸周り３箇所に設けられている。これにより、連通部２１以外の鏡筒１３内面と第１レンズ１１の外周面との間に接着剤を塗布してこれらを接着したときに、３点接着に近い形となる。この結果、第１レンズ１１を安定して鏡筒１３に接着、固定することができる。特に、本実施形態のように、連通部２１が光軸周りに等間隔で３箇所設けられることで、第１レンズ１１の鏡筒１３への接着、固定をより安定させることができる。
【００５３】
なお、連通部２１は、本実施形態のように３個設けられることが望ましいが、少なくとも１個設けられれば、接着剤の引張応力による第１レンズ１１および第２レンズ１２の変形に起因して収差が発生するのを回避して、対物レンズ５の性能低下を回避できるという本発明の効果を最低限得ることができる。
【００５４】
また、連通部２１が第１レンズ１１の表面と空隙を介して対向する壁面を有していることにより、空隙部１４は第１レンズ１１の外周面の一部を介して外部と確実に連通する。また、連通部２１の上記壁面と、第１レンズ１１の表面との距離が０．０５ｍｍ以上に設定されているので、第１レンズ１１と鏡筒１３との接着時に用いる接着剤がたとえ連通部２１に流入したとしても、連通部２１が接着剤で塞がれてその機能が果たせなくなるのを極力回避することができる。
【００５５】
ところで、以上では、鏡筒１３の外周面（側面）が図１のように光軸方向にストレートに形成されている場合について説明したが、鏡筒１３の形状はこれに限定されるわけではない。例えば図４は、鏡筒１３の外周面が階段状に形成された対物レンズ５の概略の構成を示す断面図である。なお、この場合、対物レンズ５を保持するボビン１５は、鏡筒１３の外周面の形状に沿って、鏡筒１３の段差部１３ｂを下方から支持する形状とすることができる。鏡筒１３がその外周面に段差部１３ｂを有している形状であっても、空隙部１４が第１レンズ１１の外周面の一部を介して外部と連通するように連通部２１を鏡筒１３に設けることで、収差の発生を防止して対物レンズ５の性能低下を回避できるという効果が得られることに変わりはない。
【００５６】
また、以上では、光ピックアップの光源を異なる波長の光ビームに対応して２個設けた場合について説明したが、本発明の構成は、光源が１個の場合（例えばＢＤ用の光源のみを設ける場合）にも適用することができ、また、異なる波長の光ビームに対応して３以上設ける場合（例えばＢＤ用、ＤＶＤ用、ＣＤ用の光源を設ける場合）にも適用することができる。以下、３個の光源を用いて光ピックアップを構成した例について説明する。
【００５７】
図５は、異なる波長の光ビームに対応して光源を３個設けた光ピックアップの概略の構成を示す説明図である。図２の光ピックアップと異なる点は、ＢＤ用の第１の光源１およびＤＶＤ用の第２の光源２の他に、ＣＤ用の第３の光源３１を設けるとともに、ビームスプリッタ３とコリメータレンズ４との間の光路中に、ビームスプリッタ３２を設けた点である。
【００５８】
第３の光源３１は、ＣＤ８用の光ビームを出射する半導体レーザモジュールである。第３の光源３１において、有底箱状の筐体３１ｄの底部中央には、第３の半導体レーザ３１ａが配設されている。この第３の半導体レーザ３１ａは、波長７８０ｎｍの光ビーム（一点鎖線Ｚで示す）を出射する。筐体３１ｄの底部において、第３の半導体レーザ３１ａの両側には、第３の光検出器３１ｂが配設されている。また、モジュールの表面には、第３のホログラム３１ｃが筐体３１ｄに対して蓋状に配置されている。ビームスプリッタ３２は、波長選択性の干渉膜により光ビームを選択的に透過または反射させる光学素子である。
【００５９】
第３の光源３１の第３の半導体レーザ３１ａから出射される光ビームは、ビームスプリッタ３２にて反射され、コリメータレンズ４で平行光に変換され、対物レンズ５によって光ディスクとしてのＣＤ８上に集光される。そして、ＣＤ８からの戻り光（反射光）は、上記とは光路を逆にたどって、すなわち、対物レンズ５、コリメータレンズ４およびビームスプリッタ３２を介して、第３の光源３１に入射する。第３の光源３１では、上記戻り光は、第３のホログラム３１ｃで光路を曲げられて第３の光検出器３１ｂに入射し、ここで光信号（例えばサーボ信号（フォーカスエラー信号、トラッキングエラー信号）、情報信号、収差信号）が検出される。
【００６０】
ここで、図５のように、異なる３波長の光ビームに対応した光ピックアップにおいては、ＤＶＤ７およびＣＤ８用の光ビームの収差補正のために、例えば図６に示す対物レンズ５’を用いる構成が考えられる。
【００６１】
図６は、上記光ピックアップに用いられる対物レンズ５’の概略の構成を示す断面図である。図６の対物レンズ５’は、図１の対物レンズ５の第２レンズ１２の代わりに第２レンズ１２’を設けたものである。第２レンズ１２’は、光入射側の面に回折面１２ａを有しているのみならず、光出射側（光ディスク側）の面にも回折面１２ｂを有している。回折面１２ｂは、第３の光源３１から出射される光ビームを回折させて収差補正するためのものである。
【００６２】
このような構成であっても、空隙部１４が第１レンズ１１の外周面の一部を介して外部と連通するように、連通部２１が鏡筒１３に設けられれば、接着剤の引張応力によって第１レンズ１１および第２レンズ１２’が不均等に変形するのを防止できることに変わりはない。その結果、異なる３波長の光ビームを使用する光ピックアップにおいても、収差の発生を極力回避して対物レンズ５’の性能が低下するのを回避することができる。
【００６３】
なお、鏡筒１３に段差部１３ｂを設ける図４の構成は、図６の対物レンズ５’にも勿論適用することができる。
【図面の簡単な説明】
【００６４】
【図１】本発明の実施の一形態に係る光ピックアップに用いられる対物レンズの詳細な構成を示す断面図であって、図３のＡ−Ａ’線矢視断面図である。
【図２】上記光ピックアップの概略の構成を示す説明図である。
【図３】光ディスク側から見たときの上記対物レンズの平面図である。
【図４】上記対物レンズの他の構成例を示す断面図である。
【図５】上記光ピックアップの他の構成例を示す説明図である。
【図６】上記光ピックアップに用いられる対物レンズの概略の構成を示す断面図である。
【符号の説明】
【００６５】
１    第１の光源
２    第２の光源
５    対物レンズ
５’  対物レンズ
６    ＢＤ（光ディスク）
７    ＤＶＤ（光ディスク）
８    ＣＤ（光ディスク）
１１    第１レンズ
１２    第２レンズ
１３    鏡筒（保持体）
１４    空隙部
２１    連通部
３１    第３の光源
【図１】
2006126284.tif 000003
【図２】
2006126284.tif 000004
【図３】
2006126284.tif 000005
【図４】
2006126284.tif 000006
【図５】
2006126284.tif 000007
【図６】
2006126284.tif 000008